(57)【要約】  本発明は、水平帰線消去期間を用いてアップリンクチャネルを確保した非対称点対点映像信号送受信装置およびその方法に関し、映像信号送信装置において複数の水平帰線消去期間と複数の能動線区間をそれぞれ１つにまとめて水平帰線消去期間に補助データが存在する場合、順序を変更して最後に配置し、このような配置情報を載せたマップ情報を映像信号ディスプレイ装置に送信し、これを受信した映像信号ディスプレイ装置においてマップ情報を分析して補助データを有しない水平帰線消去期間を用いてアップリンクチャネルを確保し、これによって制御信号データを送信するようにする。
2010538567.tif 000002
【特許請求の範囲】
【請求項１】
応用階層から映像データおよび補助データを含む応用データを受信するステップと、
前記応用データを分析して水平帰線消去期間に関する情報を含むマップ情報を生成して送信するステップと、
水平帰線消去期間中において、補助データを有しない水平帰線消去期間の数が既設定した数よりも大きくてアップリンクチャネルの使用が可能であれば、ＲＦスイッチを送信モードから受信モードに切り替えるステップと、
前記アップリンクチャネル期間の間に前記アップリンクチャネルを介して映像信号ディスプレイ装置からデータを受信して処理するステップと、
を含むことを特徴とする映像信号送信装置において水平帰線消去期間を用いてアップリンクチャネルを確保する方法。
【請求項２】
前記アップリンクチャネル期間が終了すれば、前記ＲＦスイッチを受信モードから前記送信モードに切り替えるステップと、
ダウンリンクチャネル期間にまとめられたＭＡＣデータフレームを映像信号ディスプレイ装置に送信するステップと、
をさらに含むことを特徴とする請求項１に記載の映像信号送信装置において水平帰線消去期間を用いてアップリンクチャネルを確保する方法。
【請求項３】
アップリンクチャネルを使用可能の有無は、水平帰線消去期間の個数と水平帰線消去期間に収録された補助データを考慮し、アップリンクチャネルを確保するために十分な水平帰線消去期間個数が存在すれば、アップリンクチャネルを使用可能であると判断することを特徴とする請求項１に記載の映像信号送信装置において水平帰線消去期間を用いてアップリンクチャネルを確保する方法。
【請求項４】
前記マップ情報は、結合水平帰線消去期間と結合能動線の送信順序と１つにまとめられた結合水平帰線消去期間の個数と各水平帰線消去期間に対する属性および各水平帰線消去期間の実際の位置情報、そしてオクテット整列のための情報を含むことを特徴とする請求項１に記載の映像信号送信装置において水平帰線消去期間を用いてアップリンクチャネルを確保する方法。
【請求項５】
前記まとめられたＭＡＣデータフレームは、能動線区間に含まれた映像データと補助データを１つにし、その後に水平帰線消去期間を後に配置するか先に水平帰線消去期間を配置し、その後に能動線区間に含まれた映像データと補助データを１つにして後に配置することによって、物理階層でプリアンブル送信を最小化することを特徴とする請求項２に記載の映像信号送信装置において水平帰線消去期間を用いてアップリンクチャネルを確保する方法。
【請求項６】
前記水平帰線消去期間に対する属性情報は、水平帰線消去期間に補助データが存在するか否かを示し、該当の区間をアップリンクチャネルに使用できるかが分かるよう案内する情報であることを特徴とする請求項４に記載の映像信号送信装置において水平帰線消去期間を用いてアップリンクチャネルを確保する方法。
【請求項７】
前記まとめられたＭＡＣデータフレームは、各補助データと映像データごとにそれぞれ異なった巡回冗長検査コードを含むことを特徴とする請求項２に記載の映像信号送信装置において水平帰線消去期間を用いてアップリンクチャネルを確保する方法。
【請求項８】
映像信号送信装置からマップ情報を受信するステップと、
受信した前記マップ情報を分析し、アップリンクチャネルとして用いる補助データを有しない水平帰線消去期間に関する情報を確認するステップと、
前記マップ情報の分析結果、アップリンクチャネル期間であれば前記アップリンクチャネルの使用が必要であり、前記アップリンクチャネルの使用時間が既設定したデータ大きさを送信するために充分であるか否かを確認するステップと、
確認の結果、前記アップリンクチャネルの使用が必要であり、前記アップリンクチャネルの使用時間が充分であれば、ＲＦスイッチを受信モードから送信モードに切り替えるステップと、
送信するデータを前記映像信号送信装置に送信するステップと、
を含むことを特徴とする映像信号ディスプレイ装置において水平帰線消去期間を用いてアップリンクチャネルを確保する方法。
【請求項９】
前記アップリンクチャネル期間が終了すれば、前記ＲＦスイッチを受信モードから前記送信モードに切り替えるステップと、
ダウンリンクチャネル期間にまとめられたＭＡＣデータフレームを前記映像信号送信装置から受信するステップと、
をさらに含むことを特徴とする請求項８に記載の映像信号ディスプレイ装置において水平帰線消去期間を用いてアップリンクチャネルを確保する方法。
【請求項１０】
前記アップリンクチャネル期間と前記ダウンリンクチャネル期間は、前記マップ情報に応じてその順序が決められることを特徴とする請求項８に記載の映像信号ディスプレイ装置において水平帰線消去期間を用いてアップリンクチャネルを確保する方法。
【請求項１１】
前記アップリンクチャネルの使用の必要有無は、前記映像信号ディスプレイ装置から前記映像信号送信装置に送信する制御信号またはデータが存在する場合、前記アップリンクチャネルの使用が必要であると判断することを特徴とする請求項８に記載の映像信号ディスプレイ装置において水平帰線消去期間を用いてアップリンクチャネルを確保する方法。
【請求項１２】
前記マップ情報は、結合水平帰線消去期間と結合能動線の送信順序と１つにまとめられた結合水平帰線消去期間の個数と各水平帰線消去期間に対する属性および各水平帰線消去期間の実際の位置情報、そしてオクテット整列のための情報を含むことを特徴とする請求項８に記載の映像信号ディスプレイ装置において水平帰線消去期間を用いてアップリンクチャネルを確保する方法。
【請求項１３】
前記水平帰線消去期間に対する属性情報は、水平帰線消去期間に補助データが存在するか否かを示し、該当の区間をアップリンクチャネルに使用できるかが分かるよう案内する情報であることを特徴とする請求項１２に記載の映像信号ディスプレイ装置において水平帰線消去期間を用いてアップリンクチャネルを確保する方法。
【請求項１４】
応用階層から映像データおよび補助データを含む応用データを受信する応用データ受信部と、
前記応用データを分析してアップリンクチャネルとして用いる補助データを有しない水平帰線消去期間に関する情報を含むマップ情報を生成するマップ生成部と、
前記マップ情報に基づいて補助データを有しない水平帰線消去期間をアップリンクチャネル期間として判断し、ＲＦスイッチの送信モードまたは受信モードへの動作モードの変更時点を決める切り替え決定部と、
前記ＭＡＣ情報またはまとめられたＭＡＣデータフレームをダウンリンクチャネルによって送信する送信部と、
制御信号またはデータを割り当てられたアップリンクチャネルを介して受信するＭＡＣフレーム受信部と、
前記切り替え決定部の決定に応じて前記ＲＦスイッチの動作モードを送信モードまたは受信モードに切り替えて送受信を制御するＭＡＣ制御部と、
を備えることを特徴とする水平帰線消去期間を用いてアップリンクチャネルを確保する映像信号送信装置。
【請求項１５】
前記マップ情報は、結合水平帰線消去期間と結合能動線の送信順序と１つにまとめられた結合水平帰線消去期間の個数と各水平帰線消去期間に対する属性および各水平帰線消去期間の実際の位置情報、そしてオクテット整列のための情報を含むことを特徴とする請求項１４に記載の水平帰線消去期間を用いてアップリンクチャネルを確保する映像信号送信装置。
【請求項１６】
前記まとめられたＭＡＣデータフレームは、能動線区間に含まれた映像データと補助データを１つにし、その後に水平帰線消去期間を後に配置するか先に水平帰線消去期間を配置し、その後に能動線区間に含まれた映像データと補助データを１つにした後に配置することによって、物理階層でプリアンブル送信を最小化することを特徴とする請求項１４に記載の水平帰線消去期間を用いてアップリンクチャネルを確保する映像信号送信装置。
【請求項１７】
前記水平帰線消去期間に対する属性情報は、水平帰線消去期間に補助データが存在するか否かを示し、該当の区間をアップリンクチャネルに使用できるかが分かるよう案内する情報であることを特徴とする請求項１５に記載の水平帰線消去期間を用いてアップリンクチャネルを確保する映像信号送信装置。
【請求項１８】
前記まとめられたＭＡＣデータフレームは、各補助データと映像データごとにそれぞれ異なる巡回冗長検査コードを含むことを特徴とする請求項１４に記載の水平帰線消去期間を用いてアップリンクチャネルを確保する映像信号送信装置。
【請求項１９】
映像信号送信装置からダウンリンクチャネルによってＭＡＣ情報またはまとめられたＭＡＣデータフレームを受信するＭＡＣフレーム受信部と、
受信した前記マップ情報を分析してアップリンクチャネルとして用いる補助データを有しない水平帰線消去期間に関する情報を確認するマップ分析部と、
前記マップ情報に基づいて補助データを有しない水平帰線消去期間をアップリンクチャネル期間として判断し、ＲＦスイッチの送信モードまたは受信モードへの動作モードの変更時点を決める切り替え決定部と、
制御信号またはデータを割り当てられたアップリンクチャネルを介して前記映像信号送信装置に送信するＭＡＣフレーム送信部と、
前記切り替え決定部の決定に応じて前記ＲＦスイッチの動作モードを送信モードまたは受信モードに切り替えて送受信を制御するＭＡＣ制御部と、
を備えることを特徴とする水平帰線消去期間を用いてアップリンクチャネルを確保する映像信号ディスプレイ装置。
【請求項２０】
前記マップ情報は、結合水平帰線消去期間と結合能動線の送信順序と１つにまとめられた結合水平帰線消去期間の個数と各水平帰線消去期間に対する属性および各水平帰線消去期間の実際の位置情報、そしてオクテット整列のための情報を含むことを特徴とする請求項１９に記載の水平帰線消去期間を用いてアップリンクチャネルを確保する映像信号ディスプレイ装置。
【請求項２１】
前記水平帰線消去期間に対する属性情報は、水平帰線消去期間に補助データが存在するか否かを示し、該当の区間をアップリンクチャネルに使用できるかが分かるよう案内する情報であることを特徴とする請求項１９に記載の水平帰線消去期間を用いてアップリンクチャネルを確保する映像信号ディスプレイ装置。
【発明の詳細な説明】
【技術分野】
【０００１】
本発明は、非対称の点対点映像信号送受信装置に関し、特に、水平帰線消去期間（ＨＢＩ：Ｈｏｒｉｚｏｎｔａｌ  Ｂｌａｎｋｉｎｇ  Ｉｎｔｅｒｖａｌ）によって映像信号ディスプレイ装置が映像信号送信装置に制御またはユーザデータを送信する映像信号送受信装置および方法に関する。
【０００２】
本発明は、情報通信部および情報通信研究振興院のＩＴ成長動力技術開発事業の一環として行った研究から導出されたものである［課題管理番号と、２００７−Ｓ−００２−０１、課題名と、Ｍｕｔｌ−Ｇｉｇａｂｉｔ無線インタフェース技術開発］。
【背景技術】
【０００３】
映像信号送受信装置は、一方的に映像および補助（Ａｕｘｉｌｉａｒｙ）データを送信する映像信号送信装置（ＤＶＤプレーヤまたはセットトップボックスなどであって、一般的にＳｏｕｒｃｅという）と映像および補助データを受信して画面に表示する映像信号ディスプレイ装置（ＬＣＤ  ＴＶまたはプロジェクターなどであって、Ｓｉｎｋという）で構成される非対称の点対点形態のデータ送信システムである。一般的に、映像信号ディスプレイ装置は、映像を受信して画面に映像信号を表示するだけであって、映像信号送信装置で制御またはデータを送信して映像信号送信装置の動作を制御したり管理する場合が必要でなかった。しかし、近年では有線で用いられる映像信号送受信システムの代表的な事例であるＨＤＭＩインタフェースに見られるように、映像信号ディスプレイ装置でも映像送信信号装置に制御またはユーザデータを送信しなければならない必要性が提起されており、特に高画質映像（Ｈｉｇｈ  Ｄｅｆｉｎｉｔｉｏｎ）である場合、著作権の保護のために高画質映像をやり取りする装置どうし常に認証のためのデータを交換しなければならない必要性もまた提起されている。
【０００４】
このためには映像信号送信装置が一方的に映像および補助データを送信するためのダウンリンクチャネルだけでなく、映像信号ディスプレイ装置が制御またはユーザデータを送信するためのアップリンクチャネルを確保する必要がある。このために様々な方式を用いることができるが、例えば、周波数リソースに余裕がある場合、ＦＤＤ方式を用いて周波数が異なる別途のチャネルをアップリンクチャネルに割り当てて制御またはユーザデータを送信する方法である。しかし、この場合は別途の変復調装置を必要とし、不要に周波数リソースを浪費するという問題が発生することになる。したがって、近年では、主に同じ周波数を時分割して周波数リソースをより効率的に用いて１つの変復調装置にデータを送信することによって、さらに安価な方法でこの問題を解決するＴＤＤ方式を用いる。ＴＤＤ方式の場合、１つの変復調装置を用いて、ある瞬間はデータを送信し、他の瞬間にはデータを受信する方式であるため、ＲＦスイッチの動作モードを送信モードまたは受信モードに必要に応じて切り替えて使用しなければならない。一般的に無線送信システムにおいて、ＲＦの動作モードを切り替えるために２ｕｓ程度の時間が必要である。映像信号送信装置の立場から、水平帰線消去期間の間にデータを受信し、再び能動線（Ａｃｔｉｖｅ  Ｌｉｎｅ）区間の間にデータを送信するためには、ＲＦの動作モードが送信モードから受信モードに、再び受信モードから送信モードに変更するという２回の遅延過程が必要であり、したがって、少なくとも４ｕｓ以上の時間が確保されなければならない。下の「表１」は画面解像度とフレーム数、またカラーｄｅｐｔｈによる水平帰線消去期間の占有時間を示している。［表１］から分かるように画面解像度が１０８０ｐ  ６０ｆである場合、水平帰線消去期間の占有時間が１．８ｕｓしかならないため、この区間を用いて制御またはユーザデータを映像信号ディスプレイ装置が送信することは不可能である。また、近来には、次第に高画質の映像信号送受信装置（例えば、６０フレームでなく、１２０フレームの映像を送信しようとする動きがあるが、この場合の水平帰線消去期間の占有時間は０．９ｕｓしかならない）を好む傾向が拡大していることを考慮するとき、映像信号ディスプレイ装置から映像信号送信装置に制御またはユーザデータを送信することがより一層難
しくなっているといえる。
【０００５】
もちろん、ＲＦスイッチの動作モードを変更するために極めて足りない水平帰線消去期間を用いることよりも、垂直帰線消去期間（ＶＢＩ：Ｖｅｒｔｉｃａｌ  Ｂｌａｎｋｉｎｇ  Ｉｎｔｅｒｖａｌ）を用いて映像信号ディスプレイ装置が映像信号送信装置に制御またはユーザデータを送信することも可能である。例えば、１０８０ｐ  ６０ｆである場合、垂直帰線消去期間の占有時間は６６７ｕｓであるため、この区間にアップリンクチャネルを割り当てることは何れの問題にならない。しかし、１０８０ｐ  ６０ｆである場合、垂直帰線消去期間が１秒に６０回しか現れないため、必要なとき直ちに制御またはユーザデータを送信することができず、垂直帰線消去期間が現れるまで待機しなければならないという問題がさらに発生する。
【表１】
2010538567.tif 000003
【０００６】
「表１」においてＦｏｒｍａｔは画面解像度の構成を示し、Ｖ  Ｆｒｅｑ（Ｖｅｒｔｉｃａｌ  Ｆｒｅｑｕｅｎｃｙ）は垂直周波数であり、ＨＲＥＳ（Ｈｏｒｉｚｏｎｔａｌ  Ｒｅｓｏｌｕｔｉｏｎ）は水平解像度であり、ＶＲＥＳ（Ｖｅｒｔｉｃａｌ  Ｒｅｓｏｌｕｔｉｏｎ）は垂直解像度であり、ＤＥ＿ＣＮＴはＤａｔａ  Ｅｎａｂｌｅ  Ｃｏｕｎｔであり、Ｒａｔｅ  ２４ｂｉｔはＣｏｌｏｒ  ｄｅｐｔｈが２４ビットであるとき、ある水平ラインのデータ量（６４０×２４／８＝１９２０バイト）であり、Ｒａｔｅ  ２０ｂｉｔはＣｏｌｏｒ  ｄｅｐｔｈが２０ビットであるとき、ある水平ラインのデータ量（６４０×２０／８＝１６００バイト）であり、ＨＢＩはＨｏｒｉｚｏｎｔａｌ  Ｂｌａｎｋｉｎｇ  Ｉｎｔｅｒｖａｌであり、ＶＢＩはＶｅｒｔｉｃａｌ  Ｂｌａｎｋｉｎｇ  Ｉｎｔｅｒｖａｌである。
【発明の概要】
【発明が解決しようとする課題】
【０００７】
本発明は、前述したような従来技術を改善するためのものであって、水平帰線消去期間によって映像信号ディスプレイ装置が映像信号送信装置に制御またはユーザデータを送信する映像信号送受信装置および方法を提供することを目的とする。
【０００８】
本発明の他の目的は、非対称の点対点映像信号送受信装置において映像信号ディスプレイ装置が制御またはユーザデータを映像信号送信装置に送信できるよう、１秒に何十回登場する垂直帰線消去期間を使用せず、より早い水平帰線消去期間を用いてアップリンクチャネルを確保する方法および装置を提供することにある。
【０００９】
本発明の目的は、以上で言及した目的に制限されることなく、言及されない更なる目的は下記の記載によって当業者に明確に理解できるであろう。
【発明を解決するための手段】
【００１０】
前述した目的を達成するための本発明の第１観点によると、映像信号送信装置において水平帰線消去期間を用いてアップリンクチャネルを確保する方法は、応用階層から映像データおよび補助データを含む応用データを受信するステップと、前記応用データを分析して水平帰線消去期間に関する情報を含むマップ情報を生成して送信するステップと、水平帰線消去期間中において、補助データを有しない水平帰線消去期間の数が既設定した数よりも大きくてアップリンクチャネルの使用が可能であれば、ＲＦスイッチを送信モードから受信モードに切り替えるステップと、前記アップリンクチャネル期間の間に前記アップリンクチャネルを介して映像信号ディスプレイ装置からデータを受信して処理するステップと、を含む。
【００１１】
前述した目的を達成するための本発明の第２観点によると、映像信号ディスプレイ装置において水平帰線消去期間を用いてアップリンクチャネルを確保する方法は、映像信号送信装置からマップ情報を受信するステップと、受信した前記マップ情報を分析し、アップリンクチャネルとして用いる補助データを有しない水平帰線消去期間に関する情報を確認するステップと、前記マップ情報の分析結果、前記アップリンクチャネルの使用が必要であり、前記アップリンクチャネルの使用時間が既設定したデータ大きさを送信するために充分であるか否かを確認するステップと、確認の結果、前記アップリンクチャネルの使用が必要であり、前記アップリンクチャネルの使用時間が充分であれば、ＲＦスイッチを受信モードから送信モードに切り替えるステップと、送信するデータを前記映像信号送信装置に送信するステップと、を含む。
【００１２】
前述した目的を達成するための本発明の第３観点によると、水平帰線消去期間を用いてアップリンクチャネルを確保する映像信号送信装置は、応用階層から映像データおよび補助データを含む応用データを受信する応用データ受信部と、前記応用データを分析してアップリンクチャネルとして用いる補助データを有しない水平帰線消去期間に関する情報を含むマップ情報を生成するマップ生成部と、前記マップ情報に基づいて補助データを有しない水平帰線消去期間をアップリンクチャネル期間として判断し、ＲＦスイッチの送信モードまたは受信モードへの動作モードの変更時点を決める切り替え決定部と、前記ＭＡＣ情報またはまとめられたＭＡＣデータフレームをダウンリンクチャネルによって送信する送信部と、制御信号またはデータを割り当てられたアップリンクチャネルを介して受信するＭＡＣフレーム受信部と、前記切り替え決定部の決定に応じて前記ＲＦスイッチの動作モードを受信モードまたは送信モードに切り替えて送受信を制御するＭＡＣ制御部と、を備える。
【００１３】
前述した目的を達成するための本発明の第４観点によると、水平帰線消去期間を用いてアップリンクチャネルを確保する映像信号ディスプレイ装置は、映像信号送信装置からダウンリンクチャネルによってＭＡＣ情報またはまとめられたＭＡＣデータフレームを受信するＭＡＣフレーム受信部と、受信した前記マップ情報を分析してアップリンクチャネルとして用いる補助データを有しない水平帰線消去期間に関する情報を確認するマップ分析部と、前記マップ情報に基づいて補助データを有しない水平帰線消去期間をアップリンクチャネル期間として判断し、ＲＦスイッチの送信モードまたは受信モードへの動作モードの変更時点を決める切り替え決定部と、制御信号またはデータを割り当てられたアップリンクチャネルを介して前記映像信号送信装置に送信するＭＡＣフレーム送信部と、前記切り替え決定部の決定に応じて前記ＲＦスイッチの動作モードを送信モードまたは受信モードに切り替えて送受信を制御するＭＡＣ制御部と、を備える。
【００１４】
その他の実施形態の具体的な事項は詳細な説明および添付の図面に含まれている。
【００１５】
本発明の利点および特徴、またはこれらを達成する方法は、添付の図面と共に詳細に後述する実施形態を参照することによって明確になるであろう。しかし、本発明は、以下にて開示される実施形態に限定されるものでなく、互いに異なるさまざまな形態によって実現することができ、単に本実施形態は本発明の開示を完全なものとし、本発明が属する技術分野で通常の知識を有する者に発明の範疇を完全に知らせるために提供されるものであり、本発明は特許請求の範囲によって定義されるにすぎない。明細書全般に渡り、同一参照符号は同一構成要素を示す。
【発明の効果】
【００１６】
上述のように本発明は、映像信号送信装置において複数の水平帰線消去期間と複数の能動線区間とをそれぞれ１つにまとめ、水平帰線消去期間に補助データが存在する場合は順序を変更して最後に配置し、このような配置情報を載せたマップ情報を映像信号ディスプレイ装置に送信し、これを受信した映像信号ディスプレイ装置でマップ情報を分析して補助データを有しない水平帰線消去期間を用いてアップリンクチャネル確保し、これによって制御信号データを送信させる水平帰線消去期間を用いてアップリンクチャネルを確保した非対称点対点映像信号送受信装置およびその方法に関し、垂直帰線消去期間を用いるときよりも垂直帰線消去期間を用いることで相対的に早くアップリンクチャネルを提供することができる。
【図面の簡単な説明】
【００１７】
【図１】本発明の好ましい実施形態に係る水平帰線消去期間を用いてアップリンクチャネルを確保する映像信号送信装置の構成を示す図である。
【図２】本発明の好ましい実施形態に係る水平帰線消去期間を用いてアップリンクチャネルを確保する映像信号ディスプレイ装置の構成を示す図である。
【図３】一般的な映像送信装置の画面構成を示す図である。
【図４】一般的な映像送信装置においてＨＳＹＮＣ信号による領域区分を示す図である。
【図５】本発明の好ましい実施形態に係る映像送信装置において、アップリンクチャネルを確保するために１つ以上の水平帰線消去期間を結合した状態を示す図である。
【図６】本発明の好ましい実施形態に係る早いアップリンクチャネル割り当てマップ（ＦＵＣＡ  ＭＡＰ）の構造を示す図である。
【図７】本発明の好ましい実施形態に係る映像送信装置において、送信するＭＡＣデータおよびマップ情報の形態を示す図である。
【図８】本発明の好ましい実施形態に係る映像送信装置において、既存の技術対比物理階層の送信効率の向上を説明するための図である。
【図９】本発明の好ましい実施形態に係る映像信号送信装置において、水平帰線消去期間を用いてアップリンクチャネルを確保する過程を示すフローチャートである。
【図１０】本発明の好ましい実施形態に係る映像信号ディスプレイ装置において、水平帰線消去期間を用いてアップリンクチャネルを確保する過程を示すフローチャートである。
【図１１】本発明の好ましい実施形態に係る映像信号送信装置から映像信号ディスプレイ装置に映像信号が送信される過程を示す図である。
【発明を実施するための形態】
【００１８】
以下、添付の図面を参照して本発明の実施形態を詳細に説明する。また、本発明の要旨を不要に曖昧にすると判断される場合はその詳細な説明を省略する。
【００１９】
本発明は、水平帰線消去期間によって映像信号ディスプレイ装置が映像信号送信装置に制御またはユーザデータを送信する映像信号送受信装置および方法に関し、の下記では図１で図２を参照して本発明の映像信号送受信装置を説明することにする。
【００２０】
図１は、本発明の好ましい実施形態に係る水平帰線消去期間を用いてアップリンクチャネルを確保する映像信号送信装置の構成を示す図である。図１を参照すれば、本発明の映像信号送信装置は、応用データ受信部１０１、ＭＡＣ制御部１０２、マップ生成部１０３、送信部１０４、切り替え決定部１０５、ＭＡＣフレーム受信部１０６を備える。以下、各構成要素を説明すれば次のようになる。
【００２１】
応用データ受信部１０１は、ＭＡＣの上位階層の応用階層から応用データを持続的に受信し、これをメモリに保存して受信されたことをＭＡＣ制御部１０２に通知する。本発明で言及する応用データは、水平帰線消去期間で伝達される非映像情報と能動線区間で伝達される映像情報であってもよく、非映像情報はオーディオまたは字幕情報を含んでいる補助データであってもよい。
【００２２】
マップ生成部１０３は、ＭＡＣ制御部１０２の要請に応じて水平帰線消去期間の属性情報を分析してＦＵＣＡ（Ｆａｓｔ  Ｕｐｌｉｎｋ  Ｃｈａｎｎｅｌ  Ａｌｌｏｃａｔｉｏｎ）ＭＡＰ情報を生成する。以下、本発明の説明においてＦＵＣＡ  ＭＡＰ情報はマップ情報で表現してもよい。
【００２３】
送信部１０４は、ＭＡＣ制御部１０２の要請に応じて生成されたＦＵＣＡ  ＭＡＰ情報や、ＭＡＣ制御、あるいはデータフレームをダウンリンクチャネルによって送信する。切り替え決定部１０５は、ＭＡＣ制御部１０２の要請に応じてＦＵＣＡ  ＭＡＰ情報に基づいてＲＦスイッチの動作モードの変更時点を決定してＭＡＣ制御部１０２に通知する。
【００２４】
ＭＡＣ制御部１０２は、切り替え決定部１０５の通知に応じてＲＦスイッチの動作モードを送信モードから受信モードに、または受信モードから送信モードに切り替える。送信モードから受信モードに切り替える場合、アップリンクチャネルが活性化したことを意味し、ＲＦスイッチが受信モードから送信モードに切り替える場合、ダウンリンクチャネルが活性化したことを意味する。
【００２５】
ＭＡＣフレーム受信部１０６は、ＭＡＣ制御部１０２の要請に応じてＭＡＣ制御またはデータフレームを割り当てられたアップリンクチャネルを介して受信する。
【００２６】
図２は、本発明の好ましい実施形態に係る水平帰線消去期間を用いてアップリンクチャネルを確保する映像信号ディスプレイ装置の構成を示す図である。前記図２を参照すれば、本発明の映像信号ディスプレイ装置は、ＭＡＣフレーム受信部２０１、ＭＡＣ制御部２０２、マップ分析部２０３、切り替え決定部２０４、ＭＡＣフレーム送信部２０５、および応用データ送信部２０６を備える。以下、各構成要素を説明すれば次のようになる。
【００２７】
ＭＡＣフレーム受信部２０１は、ＭＡＣ制御部２０２の要請に応じてダウンリンクチャネルによって送信されるＭＡＣ制御およびデータフレームとＦＵＣＡ  ＭＡＰ情報を受信する。マップ分析部２０３は、ＭＡＣ制御部２０２の要請に応じてＭＡＣフレーム受信部２０１によって受信されたＦＵＣＡ  ＭＡＰ情報を分析し、これをＭＡＣ制御部２０２に通知する。
【００２８】
切り替え決定部２０４は、ＭＡＣ制御部２０２の要請に応じてＦＵＣＡ  ＭＡＰ情報に基づいてＲＦスイッチの動作モードの変更時点を決定し、ＭＡＣ制御部２０２に通知する。ＭＡＣ制御部２０２は、ＲＦ切り替え決定部２０４の通知に応じてＲＦスイッチの動作モードを送信モードから受信モードに、または受信モードから送信モードに切り替える。送信モードから受信モードに切り替える場合、ダウンリンクチャネルが活性化したことを意味し、ＲＦスイッチが受信モードから送信モードに切り替える場合、アップリンクチャネルが活性化したことを意味する。
【００２９】
ＭＡＣフレーム送信部２０５は、ＭＡＣ制御部２０２の要請に応じてＭＡＣ制御またはデータフレームを割り当てられたアップリンクチャネルを介して送信する。応用データ送信部２０６は、ＭＡＣ制御部２０２から受信するデータを上位階層である応用階層に送信する。
【００３０】
それでは、本発明の詳細な説明をする前に映像信号送信装置の画面構成を図３を参照しながら説明することにする。図３は、一般的な映像信号送信装置の画面構成を示す図である。
【００３１】
前記図３を参照すれば、映像信号送信装置は、あるフレームを走査した後に次のフレームを走査するため、再び画面の第一左側上段に戻るため必要な時間を意味する垂直帰線消去期間３０１と、あるラインを走査した後に次のラインを走査するため、再び画面の第一左側に戻るため必要な時間を意味する水平帰線消去期間３０２を基準として動作する。したがって、水平帰線消去期間３０２の区間を除いた領域を能動線（Ａｃｔｉｖｅ  Ｌｉｎｅ）３０３といい、水平帰線消去期間３０２の区間を含む領域をＴｏｔａｌ  Ｌｉｎｅ３０４という。また、垂直帰線消去期間３０１の区間を除いた領域をＡｃｔｉｖｅ  Ｆｒａｍｅ３０５といい、垂直帰線消去期間３０１の区間を含む領域をＴｏｔａｌ  Ｆｒａｍｅ３０６という。実際に映像情報は、能動線３０３とＡｃｔｉｖｅ  Ｆｒａｍｅ３０５領域から送信される。しかし、近年では映像とオーディオなどのようなその他の情報を同時に送信する方法を用いるが、一般的に水平帰線消去期間３０２の区間と垂直帰線消去期間３０１の区間でオーディオまたは字幕情報など含む補助データを送信する。
【００３２】
図４は、一般的な映像信号送信装置において水平動期信号による領域区分を示す図である。一般的に映像信号送信装置は、水平動期（ＨＳＹＮＣ：Ｈｏｒｉｚｏｎｔａｌ  ＳＹＮＣｈｒｏｎｉｚａｔｉｏｎ）４０１の信号が０である場合、該当の区間を水平帰線消去期間４０２の区間として判定し、水平帰線消去期間４０２の区間に受信されるデータを補助データとして処理する。また、ＨＳＹＮＣ４０１信号が１である場合、該当の区間を能動線４０３の区間であるかを判定して能動線４０３の区間に受信されるデータを映像情報として処理する。図４に例示するように、一般的な映像信号送信装置は、水平帰線消去期間４０２の区間と能動線４０３の区間が交互に繰返されることが分かる。参考に、映像画面の縦解像度が１０８０であり、順次走査である場合、１フレーム当たりすべて１０８０個の水平帰線消去期間４０２の区間と能動線４０３の区間が交互に繰返される。
【００３３】
図５は、本発明の好ましい実施形態に係る映像信号送信装置においてアップリンクチャネルを確保するために１つ以上の水平帰線消去期間を結合した状態を示す図である。
【００３４】
交互に繰返される水平帰線消去期間５０１の区間と能動線５０２の区間のデータを応用階層を介して受信することになれば、本発明のマップ生成部１０３は、図５に示すように、各水平帰線消去期間５０１の区間と能動線５０２の区間を１つにまとめた結合水平帰線消去期間（Ｃｏｍｂｉｎｅｄ  ＨＢＩｓ）５０３、５０６の区間と、結合能動線（Ｃｏｍｂｉｎｅｄ  ＡＬｓ）５０４、５０５の区間で形成する。説明の便宜のために図５では、それぞれ５個の水平帰線消去期間５０１の区間と５個の能動線５０２の区間のデータをすべて集め、各１つずつのＨＢＩ集団と能動線集団を形成することによって構成した。１つにまとめられたＨＢＩ集団とＡＬ集団の順序は、図５Ａのように、Ｃｏｍｂｉｎｅｄ  ＨＢＩｓ５０３が先に来て、Ｃｏｍｂｉｎｅｄ  ＡＬｓ５０４が後に続くか、あるいは図５Ｂに示すように、Ｃｏｍｂｉｎｅｄ  ＡＬｓ５０５が先に来て、Ｃｏｍｂｉｎｅｄ  ＨＢＩｓ５０６が後に続くという２つの形態のうちの１つを取ってよい。
【００３５】
本発明の映像信号送信装置において、アップリンクチャネルを確保のための水平帰線消去期間の数は画面解像度の設定によって異なる。下の［表２］のように、１０８０ｐ  ３０ｆの画面解像度を有する映像である場合、Ｈｓｙｎｃ時間が３．８ｕｓであるため、アップリンクチャネルを確保するために少なくとも２つ以上の水平帰線消去期間５０１がまとめられるべきであり、１０８０ｐ  ６０ｆの画面解像度を有する映像である場合、Ｈｓｙｎｃ時間が１．９ｕｓであるため、アップリンクチャネルを確保するために少なくとも３つ以上の水平帰線消去期間５０１が結ばれなければならない。
【表２】
2010538567.tif 000004
【００３６】
図６は、本発明の好ましい実施形態に係る早いアップリンクチャネル割り当てマップ（ＦＵＣＡ  ＭＡＰ）の構造を示す図である。
【００３７】
図５に示すように、本発明は、極めて頻繁に現れるものの占有時間が極めて短い水平帰線消去期間の複数を１つにまとめ、これによって確保した余裕時間をＵｐｌｉｎｋ  Ｃｈａｎｎｅｌに利用することが目的である。このために早いアップリンクチャネル割り当てマップ（ＦＵＣＡ  ＭＡＰ）が定義される必要があり、その内容は次のようになる。まず、ＦＵＣＡ  ＭＡＰは、Ｃｏｍｂｉｎｅｄ  ＨＢＩｓとＣｏｍｂｉｎｅｄ  ＡＬｓの送信順序６０２と、１つにまとめられた水平帰線消去期間の個数６０３と、ＨＢＩに対する属性、およびＨＢＩの実際の位置情報６０４と、またオクテット整列のための空間６０５を含んでいる。本発明では、ＦＵＣＡ  ＭＡＰの大きさが最大５オクテットの情報である。これは１つにまとめられる水平帰線消去期間の個数と能動線の個数がそれぞれ最大８個であることを意味し、１つにまとめられる水平帰線消去期間の個数が必要に応じてさらに増やしてもよいが、この場合、水平帰線消去期間ＭＡＰの大きさは５オクテット以上になる。
【００３８】
それでは、各情報要素の値の意味を下記の表を参照して説明することにする。まず、Ｃｏｍｂｉｎｅｄ  ＨＢＩｓとＣｏｍｂｉｎｅｄ  ＡＬｓの送信順序６０２は、下の［表３］のように、その値が０である場合はＣｏｍｂｉｎｅｄ  ＨＢＩｓが先に位置する場合であり、１である場合はＣｏｍｂｉｎｅｄ  ＡＬｓが先に位置する場合である。
【表３】
2010538567.tif 000005
【００３９】
下記の［表４］のように１つにまとめられた水平帰線消去期間の個数６０３は、最小２から最大８の値を有する。０または１である場合、有効な情報として取扱わない。
【表４】
2010538567.tif 000006
【００４０】
ＨＢＩ  ＯＡ  Ｂｌｏｃｋ６０４は水平帰線消去期間に含まれたデータの属性がＥｍｐｔｙであるか、または補助データであるかを示すＨＢＩ属性情報６０６と、各ＨＢＩの実際の位置情報６０７を提供する。ＨＢＩ属性情報６０６のビット値の意味は下記の［表５］のようであり、ＨＢＩの実際の位置情報６０７のビット値の意味は下記の［表６］のようになる。
【表５】
2010538567.tif 000007
【表６】
2010538567.tif 000008
【００４１】
図７は、本発明の好ましい実施形態に係る映像信号送信装置において送信するＭＡＣデータおよびマップ情報の形態を示す図である。説明のために図７では５個の水平帰線消去期間を１つにまとめる場合を仮定した。
【００４２】
図７Ａは、５個の水平帰線消去期間にすべて補助データが存在しない場合７０１である。この場合には、単に５個の水平帰線消去期間を順に１つにまとめてＣｏｍｂｉｎｅｄ  ＨＢＩｓ７０２の区間を形成し、水平帰線消去期間の間に存在する５個の能動線区間を順に１つにまとめてＣｏｍｂｉｎｅｄ  ＡＬｓ７０３の区間を形成する。したがって、このとき生成されるＦＵＣＡ  ＭＡＰ７０４の情報要素の値はの下記の［表７］のようになる。
【表７】
2010538567.tif 000009
【００４３】
ＦＵＣＡ  ＭＡＰ７０４を受信した映像信号ディスプレイ装置は、５個の水平帰線消去期間で構成されたＣｏｍｂｉｎｅｄ  ＨＢＩｓ区間によって確保されたアップリンクチャネル７０５を用いて各種の制御またはユーザデータを送信するようになる。映像信号ディスプレイ装置によるアップリンクチャネル７０５の利用が終了すれば、映像信号送信装置はアップリンクチャネル７０５を直ちにダウンリンクチャネル７０６に変更し、これを用いてＣｏｍｂｉｎｅｄ  ＡＬｓ７０３区間の映像情報に構成されたＭＡＣデータフレーム７０７を映像信号ディスプレイ装置に送信する。
【００４４】
図７Ｂは、５個の水平帰線消去期間のうちに３番目の水平帰線消去期間に補助データが存在する場合７１１である。この場合には、５個の水平帰線消去期間を１つにまとめてＣｏｍｂｉｎｅｄ  ＨＢＩｓ区間を形成するとき、３番目の水平帰線消去期間に存在する補助データ７１２の順序を変更して最後の位置に置く。この場合に生成されるＦＵＣＡ  ＭＡＰ情報要素は下記の［表８］のようになる。
【表８】
2010538567.tif 000010
【００４５】
ＦＵＣＡ  ＭＡＰを受信した映像信号ディスプレイ装置は、ＦＵＣＡ  ＭＡＰ情報によって割り当てられた４個の水平帰線消去期間だけでアップリンクチャネルに使用可能であるかの有無を確認することになる。例えば、ビデオ信号が１０８０ｐ  ６０ｆ  ２４ｂである場合、少なくとも３つのＨＢＩが１つのグループにまとめられることでアップリンクチャネルに使用可能であるため、４個のＨＢＩがまとめられた場合には充分に該当の区間をアップリンクチャネルに使用可能である。映像信号ディスプレイ装置は、割り当てられたアップリンクチャネル７１３によって制御またはユーザデータを送信する。映像信号ディスプレイ装置によるアップリンクチャネル７１３の利用が終了すれば、映像信号送信装置はアップリンクチャネル７１３を直ちにダウンリンクチャネル７１４に変更し、これを用いて３番目の補助データとＣｏｍｂｉｎｅｄ  ＡＬｓ区間の映像情報に構成されたＭＡＣデータフレーム７１５を映像信号ディスプレイ装置に送信する。
【００４６】
図７Ｃは、５個の水平帰線消去期間中において２番目と３番目、そして５番目の水平帰線消去期間に補助データが存在する場合７２１である。この場合には、５個の水平帰線消去期間を１つにまとめてＣｏｍｂｉｎｅｄ  ＨＢＩｓ区間を形成するとき、２番目と３番目、そして５番目の水平帰線消去期間に存在する補助データの順序を変更して最後の位置に並んで置く７２２。この場合に生成されるＦＵＣＡ  ＭＡＰ情報要素は下記の［表９］のようになる。
【表９】
2010538567.tif 000011
【００４７】
ＦＵＣＡ  ＭＡＰを受信した映像信号ディスプレイ装置は、ＦＵＣＡ  ＭＡＰ情報によって割り当てられた２つの水平帰線消去期間だけでアップリンクチャネルに使用可能であるかの有無を確認する。例えば、ビデオ信号が１０８０ｐ  ６０ｆ  ２４ｂである場合、少なくとも３つのＨＢＩが１つのグループにまとめられることでアップリンクチャネルに使用可能であるため、２つのＨＢＩがまとめられた場合には該当の区間をアップリンクチャネルに使用できなくなる。したがって、この場合には映像信号ディスプレイ装置によってアップリンクチャネルが使用されないため、映像信号送信装置がアップリンクチャネルに変更せず、そのままダウンリンクチャネルを維持した状態で２番目、３番目、そして５番目の補助データとＣｏｍｂｉｎｅｄ  ＡＬｓ７０３区間の映像情報で構成されたＭＡＣデータフレーム７２３を映像信号ディスプレイ装置に送信する。したがって、本発明の適用において水平帰線消去期間が常に空いている状態ではなく、字幕情報またはオーディオ情報などで満たされているため、補助データに用いられることを考慮し、１つにまとめられる水平帰線消去期間の個数を選定しなければならない。
【００４８】
図７Ｄは、５個の水平帰線消去期間中において３番目の水平帰線消去期間に補助データが存在する場合であって、図７Ｂと同じであるが、Ｃｏｍｂｉｎｅｄ  ＨＢＩｓとＣｏｍｂｉｎｅｄ  ＡＬｓの送信順序が反対である場合である。この場合には、１つにまとめられた５個の能動線と補助データが存在する水平帰線消去期間が先に位置し、残りの水平帰線消去期間を１つにまとめたＣｏｍｂｉｎｅｄ  ＨＢＩｓ区間が後に現れる。この場合に生成されるＦＵＣＡ  ＭＡＰ情報要素は下の［表１０］のようになる。
【表１０】
2010538567.tif 000012
【００４９】
映像信号ディスプレイ装置によるアップリンクチャネル７３１の利用が終了すれば、映像信号ディスプレイ装置は、ＦＵＣＡ  ＭＡＰ情報によって割り当てられた４個の水平帰線消去期間だけでアップリンクチャネルに使用可能であるかの有無を確認する。該当の区間をアップリンクチャネルに使用可能な場合、映像信号ディスプレイ装置は、ダウンリンクチャネル７３１を直ちにアップリンクチャネルに変更し、これを用いて制御またはユーザデータを映像信号送信装置に送信する。図７Ｂと図７Ｄの大きい差異点は、制御情報に載せられる情報の有効性にある。図７Ｂの場合、データがまだ送信されていないため、制御情報の内容がＦＵＣＡ  ＭＡＰ情報の以前データに対する確認または応答であるが、その一方、図７Ｄの場合は、ＦＵＣＡ  ＭＡＰの受信後に送信されたデータに対する制御情報の確認または応答となる。したがって、図７Ｄがより即刻的な確認または応答を提供すると見られる。いかなる方式を用いるかはユーザにかかっている。
【００５０】
図８は、本発明の好ましい実施形態に係る映像信号送信装置において、既存の技術対比物理階層の送信効率の向上を説明するための図である。一般的に、ＭＡＣデータフレーム８０１が伝達された物理階層は、図８Ａに示すように、相手側の物理階層がデータ獲得できるよう、先にプリアンブル８０２を送信して同期を合わせた後、ヘッダとペイロード（Ｐａｙｌｏａｄ）、また巡回冗長検査コード（ＣＲＣ：Ｃｙｃｌｉｃ  Ｒｅｄｕｎｄａｎｃｙ  Ｃｈｅｃｋ  Ｃｏｄｅ）を含むＰＨＹデータ８０３を送信する方式を用いる。これは一般的に物理階層がＰＨＹデータを送信する方式であって、映像および補助データを送信される場合にもそのまま適用される。
【００５１】
数個の水平帰線消去期間を単に１つにまとめるだけで補助データの位置を変更しない場合には、図８Ｂに示すように映像および補助データを各３つのＰＨＹデータ８０４、８０５、８０６に載せて送信することになる。しかし、本発明の実施形態によって数個の水平帰線消去期間を１つにまとめて存在する補助データをすべて最後の位置に配置して映像情報と共に送信する場合、図８Ｃに示すように映像および補助データを１つのＰＨＹデータ８０７に載せて送信することになる。したがって、この場合は１つにまとめられた水平帰線消去期間が２つしかないため、図８Ｂに示すようにアップリンクチャネルを確保できないという点は同じであるが、１つのＰＨＹデータに１つにまとめられた映像および補助データを載せて送信するために３つのＰＨＹデータに分けて送信する図８Ｂの場合よりも全体的な物理階層の送信効率が向上する付随的な効果が得られる。
【００５２】
図８Ｄは、図８Ｃとは異なり、Ｃｏｍｂｉｎｅｄ  ＡＬｓがＣｏｍｂｉｎｅｄ  ＨＢＩｓよりも先に位置する場合である。しかし、この場合も図８Ｄが図８Ｂに比べてより優れる送信効率を得るという点で同じである。
【００５３】
以下、前述したように構成された本発明に係る非対称の点対点映像信号送受信装置において水平帰線消去期間を用いてアップリンクチャネルを確保する方法を図面を参照して下記に説明する。
【００５４】
図９は、本発明の好ましい実施形態に係る映像信号送信装置において、水平帰線消去期間を用いてアップリンクチャネルを確保する過程を示すフローチャートである。
【００５５】
前記図９を参照すれば、本発明の映像信号送信装置は、９０１ステップに進んで１つの走査ラインの映像情報および補助データが載せられており応用データを数個または１つにまとめるかその個数を確認し、９０２ステップに進んで応用階層から応用データを受信するまで持続的に監視する。
【００５６】
もし、応用階層から応用データが受信されれば、本発明の映像信号送信装置は、９０３ステップに進んで同時に補助データが存在する水平帰線消去期間を最後の順序に応じて配置したＦＵＣＡ  ＭＡＰを生成し、９０４ステップに進んで応用階層から必要な個数だけの応用データを受信したかを確認する。もし、必要な個数だけの応用データを受信することができない場合、前記９０２ステップに進んで再び応用階層から残りの応用データを受信するために待機する。
【００５７】
前記９０４ステップの確認の結果、必要な個数だけの応用データを受信した場合、映像信号送信装置は９０５ステップに進んで受信した応用データによって既に生成されたＦＵＣＡ  ＭＡＰ情報に基づいてＭＡＣ制御フレームを生成して映像信号ディスプレイ装置に送信する。
【００５８】
その後、映像信号送信装置は９０６ステップに進んでＣｏｍｂｉｎｅｄ  ＡＬｓがＣｏｍｂｉｎｅｄ  ＨＢＩｓよりも先に送信されるかを確認する。すなわち、アップリンクチャネルをデータの送信前に割り当てるか、または後で割り当てるかを確認する。
【００５９】
確認の結果、Ｃｏｍｂｉｎｅｄ  ＨＢＩｓが先に送信する場合、映像信号送信装置は９０７ステップに進んで１つにまとめられた水平帰線消去期間（Ｃｏｍｂｉｎｅｄ  ＨＢＩｓ）がアップリンクチャネルに使用可能であるかを確認する。確認の結果、１つにまとめられた水平帰線消去期間（Ｃｏｍｂｉｎｅｄ  ＨＢＩｓ）がアップリンクチャネルに用いられるのに充分であれば、映像信号送信装置は９０８ステップに進んでＲＦスイッチの動作モードを受信モードに変更した後、９０９ステップに進んでアップリンクチャネルを介して映像信号ディスプレイ装置が送信する制御またはユーザデータを載せたＭＡＣフレームを受信するために待機する。
【００６０】
もし、アップリンクチャネルを介して映像信号ディスプレイ装置が送信した制御またはユーザデータを載せたＭＡＣフレームを受信できない場合、映像信号送信装置は、９１０ステップに進んでアップリンクチャネルの使用時間が終了したかの有無を確認する。これとは異なって、アップリンクチャネルを介して映像信号ディスプレイ装置から制御またはユーザデータを載せたＭＡＣフレームを受信すれば、映像信号送信装置は９１１ステップに進んで制御またはユーザデータを処理し、９１０ステップに進んでアップリンクチャネルの使用時間が終了したかを確認する。もし、アップリンクチャネルの使用時間が終了しない場合、映像信号送信装置は、９０９ステップに進んでアップリンクチャネルの使用時間が終了するまで９０９ステップから９１１ステップまでの一連のステップを繰り返して行う。
【００６１】
アップリンクチャネルの使用時間が終了すれば、映像信号送信装置は、９１２ステップに進んでＲＦスイッチの動作モードを送信モードに変更し、９１３ステップに進んでＣｏｍｂｉｎｅｄ  ＨＢＩｓが先に送信する場合であるかを確認する。確認の結果、Ｃｏｍｂｉｎｅｄ  ＨＢＩｓが先に送信する場合であれば、映像信号送信装置は９１４ステップに進んで１つにまとめられたＭＡＣデータフレームを映像信号ディスプレイ装置に送信する。前記過程を映像信号送受信装置のサービスが終了するまで持続的に繰り返して行うため、映像信号送信装置は９０２ステップに戻って応用階層から応用データを受信するために待機する。
【００６２】
もし、前記９０７ステップの確認の結果、１つにまとめられた水平帰線消去期間がアップリンクチャネルに用いられるのに極めて短ければ、映像信号送信装置は、ＲＦスイッチの動作モードを変更せずそのまま送信モードに維持しつつ、９１３ステップに進んでＣｏｍｂｉｎｅｄ  ＨＢＩｓが先に送信する場合であるかを確認した後、９１４ステップに進んで与えられた時点に１つにまとめられたＭＡＣデータフレームを映像信号ディスプレイ装置に送信する。
【００６３】
前記過程中において、もし前記９０６ステップの確認の結果、Ｃｏｍｂｉｎｅｄ  ＡＬｓが先に送信する場合、映像信号送信装置は９１５ステップに進んで１つにまとめられたＭＡＣデータフレームを映像信号ディスプレイ装置に送信した後、その後Ｃｏｍｂｉｎｅｄ  ＨＢＩｓが先に送信する場合と同様に９０７ステップにおいて９１３ステップの一連の過程を同様に行う。ＲＦ動作モードを受信モードから送信モードに変更した後、Ｃｏｍｂｉｎｅｄ  ＨＢＩｓを先に送信する場合であるかを確認する手続きにおいて、既に１つにまとめられたＭＡＣフレームを送信したため、これを無視して最初の手続きから繰返して行われる。
【００６４】
図１０は、本発明の好ましい実施形態に係る映像信号ディスプレイ装置において水平帰線消去期間を用いてアップリンクチャネルを確保する過程を示すフローチャートである。
【００６５】
図１０を参照すれば、本発明の映像信号ディスプレイ装置は、１００１ステップに進んで映像信号送信装置に送信されるＦＵＣＡ  ＭＡＰ情報を持続的に監視する。もし、ＦＵＣＡ  ＭＡＰ情報が受信されれば、映像信号ディスプレイ装置は１００２ステップに進んでＣｏｍｂｉｎｅｄ  ＨＢＩｓが先に送信される場合であるかを確認する。確認の結果、Ｃｏｍｂｉｎｅｄ  ＨＢＩｓが先に送信される場合であれば、映像信号ディスプレイ装置は、１００３ステップに進んで先にアップリンクチャネルを用いて制御またはデータを送信する必要があるかを確認する。確認の結果、アップリンクチャネルを用いる必要があれば、映像信号ディスプレイ装置は、１００４ステップに進んでＦＵＣＡ  ＭＡＰによって確認したアップリンクチャネルの使用時間がデータを送信するための十分な時間であるかを確認する。
【００６６】
アップリンクチャネルの使用時間が十分な場合、映像信号ディスプレイ装置は、１００５ステップに進んでＲＦスイッチの動作モードを受信モードから送信モードに変更し、１００６ステップに進んでアップリンクチャネルで制御またはユーザデータを載せたＭＡＣフレームを映像信号送信装置に送信する。
【００６７】
前記１００３ステップの確認の結果、アップリンクチャネルを用いる必要がない場合、または前記１００４ステップの確認の結果、割り当てられたアップリンクチャネルの使用時間が充分でない場合、または前記１００５ステップの確認の結果、アップリンクチャネルでＭＡＣフレームを送信した後に映像信号ディスプレイ装置は１００７ステップに進んでアップリンクチャネルの使用時間が終了したかを確認する。
【００６８】
確認の結果、アップリンクチャネルの使用時間が終了しない場合、映像信号ディスプレイ装置は、１００８ステップにおいて進んで、まだアップリンクチャネルに送信しなければならない制御またはユーザデータが存在するかを確認する。前記１００８ステップの確認の結果、アップリンクチャネルに送信しなければならない制御またはユーザデータが存在する場合、再び前記１００６ステップに戻ってアップリンクチャネルに送信しなければならない制御またはユーザデータを載せたＭＡＣフレームを映像信号送信装置に送信する。
【００６９】
前記１００７ステップの確認の結果、アップリンクチャネルの使用時間が終了すれば、映像信号ディスプレイ装置は１００９ステップに進んでＲＦスイッチの動作モードの変更に前もってＣｏｍｂｉｎｅｄ  ＨＢＩｓが先に送信される場合であるかを確認する。確認の結果、Ｃｏｍｂｉｎｅｄ  ＨＢＩｓが先に送信される場合であれば、映像信号ディスプレイ装置は、１０１０ステップに進んでＲＦスイッチの動作モードを再び送信モードから受信モードに変更する。
【００７０】
その後、映像信号ディスプレイ装置は、１０１１ステップに進んでダウンリンクチャネルによって映像および補助データを載せたＭＡＣフレームを受信するまで待機する。もし、ＭＡＣフレームが受信されれば、映像信号ディスプレイ装置は、１０１２ステップに進んで受信したＭＡＣフレームによって応用データをＦＵＣＡ  ＭＡＰ情報に基づいて順に再び復元し、１０１３ステップに進んで元の状態のとおり復元された応用データは応用階層に伝達し、１０１４ステップに進んでＣｏｍｂｉｎｅｄ  ＨＢＩｓが先に送信される場合であるかを確認する。確認の結果、もし、Ｃｏｍｂｉｎｅｄ  ＨＢＩｓが先に送信される場合であれば、映像信号ディスプレイ装置は次回にＦＵＣＡ  ＭＡＰ情報を受信するために１００１ステップに戻る。
【００７１】
前記１００２ステップの確認の結果、Ｃｏｍｂｉｎｅｄ  ＡＬｓが先に送信される場合であれば、映像信号ディスプレイ装置は、１０１１ステップに進んでダウンリンクチャネルに送信されるＭＡＣフレームの受信有無を監視する。その後の過程は、１０１４ステップまでＣｏｍｂｉｎｅｄ  ＨＢＩｓが先に送信される場合と同じである。もちろん、１０１４ステップにおいて、Ｃｏｍｂｉｎｅｄ  ＡＬｓが先に送信される場合であると判明されるため、１００３ステップに進んでアップリンクチャネルの使用有無を確認する手続きを経てから、アップリンクチャネルを用いて制御またはユーザデータを送信する一連の過程を行う。また、ステップ１００９において、Ｃｏｍｂｉｎｅｄ  ＡＬｓが先に送信される場合であると判明されるため、Ｃｏｍｂｉｎｅｄ  ＨＢＩｓが先に送信される場合に行われる手続きを経ることなく（ダウンリンクチャネルに受信されるＭＡＣフレームを既に受信したため）、再び次回のＦＵＣＡ  ＭＡＰ情報を受信するために１００１ステップに戻る。
【００７２】
図１１は、本発明の好ましい実施形態に係る映像信号送信装置から映像信号ディスプレイ装置に映像信号が送信される過程を示す図である。
【００７３】
図１１を参照すれば、映像信号送信装置の応用階層１１１０は、映像信号送信装置のＭＡＣ階層１１２０であって、一連番号を有する映像信号データのＭＡＣ−ＤＡＴＡ．ｒｅｑ（ａ０１、ａ０３、ａ０５）を送信してデータ送信を要請する。
【００７４】
ＭＡＣ−ＤＡＴＡ．ｒｅｑ（ａ０１、ａ０３、ａ０５）を受信した映像信号送信装置のＭＡＣ階層１１２０は、映像信号送信装置の応用階層１１１０にデータ送信の成功または失敗の有無を知らせるＭＡＣ−ＤＡＴＡ．ｃｆｍ（ａ０２、ａ０４、ａ０６）を送信し、１１５２ステップに進んで受信した既設定数（ｍ）の連続データを１つのフレームに結合して生成する。このとき、各連続データに巡回冗長検査コードを挿入する。
【００７５】
その後、映像信号送信装置のＭＡＣ階層１１２０は、１１５４ステップに進んで水平帰線消去期間の情報を用いてＦＵＣＡ  ＭＡＰを生成する。また、映像信号送信装置のＭＡＣ階層１１２０は、生成したＦＵＣＡ  ＭＡＰを含むＦｕｃａ  ｃｏｎｔｒｏｌ  ｆｒａｍｅ（ａ０７）を映像信号ディスプレイ装置のＭＡＣ階層１１３０に伝達し、１１５２ステップにおいて生成された１つであるフレームインＭＡＣ  Ｄａｔａ  ｆｒａｍｅ（ａ０８）を映像信号ディスプレイ装置のＭＡＣ階層１１３０に伝達する。
【００７６】
映像信号ディスプレイ装置のＭＡＣ階層１１３０は、Ｆｕｃａ  ｃｏｎｔｒｏｌ  ｆｒａｍｅ（ａ０７）に含まれたＦＵＣＡ  ＭＡＰ情報を用いて受信したＭＡＣ  Ｄａｔａ  ｆｒａｍｅ（ａ０８）を再び既設定数（ｍ）の連続データに変換し、既設定数（ｍ）の連続データのＭＡＣ−ＤＡＴＡ．ｉｎｄ（ａ０９、ａ１０、ａ１１）を映像信号ディスプレイ装置の応用階層１１４０に伝達する。
【００７７】
上述したように、本発明の好ましい実施形態を参照して説明したが、本発明の範囲から逸脱しない範囲内で、様々な変更が可能であることは言うまでもない。すなわち、本発明の範囲は、説明した実施形態に限定して決定されてはならず、後述する特許請求の範囲だけでなく、この特許請求の範囲と均等なものによって決定されなければならない。
【００７８】
以上のように、本発明は、限定された実施形態と図面によって説明されてはいるが、本発明は、前記の実施形態に限定されるものではなく、本発明が属する分野で通常の知識を有する者であればこのような記載から多様な修正および変形が可能である。したがって、本発明の思想は特許請求の範囲に基づいて把握されなければならず、この均等または等価的変形のすべては本発明の思想の範疇に属するものとする。
【図１】
2010538567.tif 000013
【図２】
2010538567.tif 000014
【図３】
2010538567.tif 000015
【図４】
2010538567.tif 000016
【図５（ａ）】
2010538567.tif 000017
【図５（ｂ）】
2010538567.tif 000018
【図６】
2010538567.tif 000019
【図７】
2010538567.tif 000020
【図８】
2010538567.tif 000021
【図９】
2010538567.tif 000022
【図１０】
2010538567.tif 000023
【図１１】
2010538567.tif 000024
【国際調査報告】
2010538567.tif 000025
2010538567.tif 000026